【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
接着剤において、
（ａ）（１）高分子電解質であって、前記高分子電解質はポリアニオンまたはポリカチオンを含むがそれらの組み合わせを含まず、前記高分子電解質は少なくとも１個の架橋基を含む、高分子電解質と（２）単純接着剤コアセルベートを生成するのに十分な量の好意的対イオンとを含む溶液を調製するステップと、
（ｂ）前記単純接着剤コアセルベートを架橋して前記接着剤を生成するステップと、
を含む方法によって製造されることを特徴とする接着剤。
【請求項２】
請求項１に記載の接着剤において、前記高分子電解質が、ポリアニオンであることを特徴とする接着剤。
【請求項３】
請求項２に記載の接着剤において、前記ポリアニオンが、静電的に会合しているブロックコポリマーを含み、前記ブロックコポリマーが、交互に並んだポリカチオン性ブロックおよびポリアニオン性ブロックを含み、かつ前記ポリアニオンが、前記単純接着剤コアセルベートが形成されるｐＨにおいて正味正電荷を有することを特徴とする接着剤。
【請求項４】
請求項２に記載の接着剤において、前記ポリアニオンが、１個以上のペンダントホスフェート基を含むポリアクリレートを含むことを特徴とする接着剤。
【請求項５】
請求項２に記載の接着剤において、前記ポリアニオンが、式Ｘ
2014502296.tif 000001
（式中、Ｒ４は、水素またはアルキル基であり、
ｎは、１〜１０であり、
Ｙは、酸素、硫黄、またはＮＲ３０であり、ここでＲ３０は、水素、アルキル基、またはアリール基であり、
Ｚは、アニオン基またはアニオン基に変換され得る基である）
を含む少なくとも１つのフラグメントまたはその薬学的に許容可能な塩を含むポリマーを含むことを特徴とする接着剤。
【請求項６】
請求項５に記載の接着剤において、Ｚが、スルフェート、スルフォネート、カルボキシレート、ボレート、ボロネート、置換もしくは非置換のホスフェート、またはホスホネートであることを特徴とする接着剤。
【請求項７】
請求項２に記載の接着剤において、前記ポリアニオンが、式ＩＩ
2014502296.tif 000002
［式中、Ｒ４は、水素またはアルキル基であり、
ｎは、１〜１０であり、
Ｒ４０は、水素、アルキル基、もしくはアリール基であるか、または
2014502296.tif 000003
（式中、Ｒ４１は、独立して、水素、アルキル基、アリール基、ホスフェート基、またはその薬学的に許容可能な塩である）
である］
を含む少なくとも１個のフラグメントを含むポリマーを含むことを特徴とする接着剤。
【請求項８】
請求項１に記載の接着剤において、前記ポリアニオン化合物が、１０〜９０モル％のホスフェート基を含むことを特徴とする接着剤。
【請求項９】
請求項１に記載の接着剤において、前記高分子電解質が、ポリカチオンであることを特徴とする接着剤。
【請求項１０】
請求項９に記載の接着剤において、前記ポリカチオンが、静電的に会合しているブロックコポリマーを含み、前記ブロックコポリマーが、交互に並んだポリカチオン性ブロックおよびポリアニオン性ブロックを含み、かつ前記ポリカチオンが、前記単純接着剤コアセルベートが形成されるｐＨにおいて正味負電荷を有することを特徴とする接着剤。
【請求項１１】
請求項９に記載の接着剤において、前記ポリカチオンが、多糖、タンパク質、または合成ポリペプチドを含むことを特徴とする接着剤。
【請求項１２】
請求項９に記載の接着剤において、前記ポリカチオンが、１またはそれ以上のグアニジニウム基またはアルギニン基を含むことを特徴とする接着剤。
【請求項１３】
請求項９に記載の接着剤において、前記ポリカチオンが、７より高いｐＩ値を有することを特徴とする接着剤。
【請求項１４】
請求項１に記載の接着剤において、前記架橋基が、求電子基を含むことを特徴とする接着剤。
【請求項１５】
請求項１に記載の接着剤において、前記架橋基が、酸化を受けることが可能な少なくとも１個のジヒドロキシル芳香族基を含み、前記ジヒドロキシル芳香族基が、前記ポリアニオンと共有結合で結合していることを特徴とする接着剤。
【請求項１６】
請求項１に記載の接着剤において、前記架橋基が、化学線により架橋可能な基を含むことを特徴とする接着剤。
【請求項１７】
請求項１６に記載の接着剤において、前記化学線により架橋可能な基が、オレフィン基を含むことを特徴とする接着剤。
【請求項１８】
請求項１に記載の接着剤において、前記高分子電解質が、ポリアニオンを含み、かつ前記好意的対イオンが、少なくとも１種の（１）二価カチオン、（２）遷移金属イオン、または（３）希土類金属を含むことを特徴とする接着剤。
【請求項１９】
請求項１に記載の接着剤において、前記接着剤が、１種以上の生物活性剤または造影剤をさらに含むことを特徴とする接着剤。
【請求項２０】
請求項１に記載の接着剤において、前記接着剤が、重合性モノマー、水不溶性充填剤、またはそれらの組み合わせをさらに含むことを特徴とする接着剤。
【請求項２１】
請求項１に記載の接着剤において、前記架橋ステップが、酸化剤、架橋剤、またはそれらの組み合わせの存在下で行われることを特徴とする接着剤。
【請求項２２】
請求項１に記載の接着剤において、前記架橋ステップが、前記コアセルベートを架橋するためにｐＨを高めることをさらに含むことを特徴とする接着剤。
【請求項２３】
請求項１に記載の接着剤において、前記高分子電解質上の前記架橋基が、それ自体と、または架橋剤の存在下で架橋することを特徴とする接着剤。
【請求項２４】
架橋した高分子電解質を含む接着剤において、前記高分子電解質はポリアニオンまたはポリカチオンを含むがそれらの組み合わせを含まず、前記高分子電解質は少なくとも１個の架橋基を含み、かつ前記接着剤は好意的対イオンを含むことを特徴とする接着剤。
【請求項２５】
単純接着剤コアセルベートにおいて、（１）高分子電解質であって、前記高分子電解質はポリアニオンまたはポリカチオンを含むがそれらの組み合わせを含まず、前記高分子電解質は少なくとも１個の架橋基を含む、高分子電解質と（２）単純接着剤コアセルベートを生成するのに十分な量の好意的対イオンとを含む溶液を調製するステップを含む方法によって製造されることを特徴とする単純接着剤コアセルベート。
【請求項２６】
支持体において、前記支持体の少なくとも１つの表面に請求項１〜２４のいずれか一項に記載の接着剤を含むことを特徴とする支持体。
【請求項２７】
請求項１〜２４のいずれか一項に記載の接着剤の使用において、２つの支持体を互いに接着させることを特徴とする使用。
【請求項２８】
請求項１〜２４のいずれか一項に記載の接着剤の使用において、
（ａ）骨折の修復；
（ｂ）支持体と骨の接着；
（ｃ）骨−組織足場と骨の接着；
（ｄ）歯科インプラントの固定；
（ｅ）１種以上の生物活性剤の送達；
（ｆ）血管中の血流の抑制；
（ｇ）眼創傷の処置；
（ｈ）皮膚と挿入された医療デバイスとの間の接合部の密閉；
（ｉ）体内組織または膜における穿刺創の閉鎖または密閉；
（ｊ）接着剤を用いて足場を穿刺創に接着させることによる体内組織または膜における穿刺創の閉鎖または密閉；
のための使用であることを特徴とする使用。
【請求項２９】
キットにおいて、（１）高分子電解質であって、前記高分子電解質はポリアニオンまたはポリカチオンを含むがそれらの組み合わせを含まず、前記高分子電解質は少なくとも１個の架橋基を含む、高分子電解質と、（２）単純接着剤コアセルベートを生成するのに十分な量の好意的対イオンと、（３）架橋剤、および選択的に酸化剤とを含むことを特徴とするキット。
【請求項３０】
キットでにおいて、（１）（ａ）高分子電解質であって、前記高分子電解質はポリアニオンまたはポリカチオンを含むがそれらの組み合わせを含まず、前記高分子電解質は少なくとも１個の架橋基を含む、高分子電解質と（ｂ）単純接着剤コアセルベートを生成するのに十分な量の好意的対イオンとを含む単純接着剤コアセルベートと、（２）架橋剤、および選択的に酸化剤とを含むことを特徴とするキット。